(57)【要約】 【課題】  本発明は、検査工程の簡略化されたコネクタを提供する。【解決手段】  雄側コネクタハウジング１１には検知端子１７が上下方向の変位を許容されて装着されている。また雌側コネクタハウジング３０には、雄雌両コネクタハウジング１１，３０が正規に嵌合したときに検知端子１７を短絡させる短絡端子５１が設けられていると共に、検知端子１７の上下方向の変位を規制して、検知端子１７を正規の高さ位置に保持する第１及び第２の検知端子規制部５９，６１が設けられている。両コネクタハウジング１１，３０を嵌合させると、検知端子１７は、第１及び第２の検知端子規制部５９，６１により上下方向に矯正され、正規の高さ位置に位置決めされる。検知端子１７の位置決めを行う手段が雌側コネクタハウジング３０にのみ配されているので、雌側コネクタハウジング３０に対してのみ寸法検査を行えばよい。この結果、検査工程を簡略化できる。【選択図】  図１
2005166490.tif 000002
【特許請求の範囲】
【請求項１】
互いに嵌合可能な雄雌コネクタハウジングの一方にはフード部が設けられており、前記フード部内には、一対の検知端子が突設されており、他方のコネクタハウジングには、両コネクタハウジングが正規に嵌合したときに前記検知端子と接触して前記検知端子同士を短絡させる短絡端子が設けられてなるコネクタであって、
前記検知端子は上下方向の変位が許容されるように設けられており、
前記他方のコネクタハウジングには、正規の高さ位置に設定されると共に、前記検知端子を正規の高さ位置に保持するための位置決め手段が設けられていることを特徴とするコネクタ。
【請求項２】
前記位置決め手段は、前記検知端子が上下方向に変位するのを規制する第１及び第２の検知端子規制部からなり、
前記第１の検知端子規制部と前記第２の検知端子規制部との間には、前記検知端子が挿入される検知端子挿入空間が形成されていることを特徴とする請求項１記載のコネクタ。
【請求項３】
前記一方のコネクタハウジングの前記フード部内には、前記検知端子の近傍に検知端子保護壁が設けられており、
前記検知端子保護壁は、前記検知端子の上下方向の変位を妨げない位置に形成されており、
前記検知端子保護壁の前端部は、前記検知端子よりも前方に突出して形成されていることを特徴とする請求項１または２記載のコネクタ。
【請求項４】
前記一方のコネクタハウジングの前記フード部内には、こじり防止用リブが設けられており、
前記こじり防止用リブは、前記他方のコネクタハウジングが正規の嵌合姿勢に対して斜め姿勢をとって前記フード部内に挿入され、前記フード部の開口縁と前記他方のコネクタハウジングとが当接した状態で前記他方のコネクタハウジングが回動した場合でも、前記こじり防止用リブが前記他方のコネクタハウジングに突き当たることにより、前記他方のコネクタハウジングが前記フード部の奥方に進入して前記検知端子と干渉することを防止するように配置されていることを特徴する請求項１ないし３のいずれかに記載のコネクタ。
【請求項５】
前記位置決め手段の前端部には、前記検知端子を誘い込むための誘い込み面が形成されていることを特徴とする請求項１ないし４のいずれかに記載のコネクタ。
【発明の詳細な説明】
【技術分野】
【０００１】
本発明は、嵌合検知機能を備えたコネクタに関する。
【背景技術】
【０００２】
従来、コネクタ１の中には、図１４に示すように、雌雄のコネクタハウジング３，５が正規に嵌合したか否かを電気的に検知するために、検知端子２を設けたものが知られている（特許文献１参照）。一方のコネクタハウジング３には、一対の検知端子２と、この検知端子２の上面に沿うようにして支持片４が延設されている。他方のコネクタハウジング５には、両コネクタハウジング３，５が正規に嵌合したときに両検知端子２に接触してこれらを短絡させる短絡端子６と、両コネクタハウジング３，５を嵌合状態にロックするロックアーム７とが設けられている。そして短絡端子６には、検知端子２と接触する接点部６Ａが設けられている。
【０００３】
両コネクタハウジング３，５が嵌合する途上（半嵌合状態）では、ロックアーム７が撓み変形することを利用し、短絡端子６をこのロックアーム７の撓み動作に連動して検知端子２から退避するように変形させることにより、短絡端子６の接点部６Ａと検知端子２とが接触しないようになっている。逆に両コネクタハウジング３，５が正規に嵌合したときには、ロックアーム７の復帰動作を利用して短絡端子６を復帰させ、短絡端子６の接点部６Ａと検知端子２とを接触させてこれら検知端子２同士を短絡させるようになっている。
【特許文献１】特開平１１−７４０２５号公報
【発明の開示】
【発明が解決しようとする課題】
【０００４】
上記のコネクタ１においては、両コネクタハウジング３，５が正規に嵌合したことを検知するため、検知端子２の高さ及び短絡端子６の接点部６Ａの高さについて高い寸法精度が要求される。
このため、一方のコネクタハウジング３と、他方のコネクタハウジング５の双方に対して高さ寸法を検査する必要があった。すなわち、検査機器（図示せず）に一方のコネクタハウジング３をセットして検知端子２の高さを検査し、これを取り外した後、今度は他方のコネクタハウジング５をセットして短絡端子６の接点部６Ａの高さを検査するという作業を繰り返さなければならなかった。このように、従来のコネクタ１では、検査工程が煩雑であるという問題点があった。
【０００５】
本発明は上記のような事情に基づいて完成されたものであって、検査工程の簡略化されたコネクタを提供することを目的とする。
【課題を解決するための手段】
【０００６】
上記の目的を達成するための手段として、請求項１の発明は、互いに嵌合可能な雄雌コネクタハウジングの一方にはフード部が設けられており、前記フード部内には、一対の検知端子が突設されており、他方のコネクタハウジングには、両コネクタハウジングが正規に嵌合したときに前記検知端子と接触して前記検知端子同士を短絡させる短絡端子が設けられてなるコネクタであって、前記検知端子は上下方向の変位が許容されるように設けられており、前記他方のコネクタハウジングには、正規の高さ位置に設定されると共に、前記検知端子を正規の高さ位置に保持するための位置決め手段が設けられていることを特徴とする。
【０００７】
請求項２の発明は、請求項１に記載のコネクタにおいて、前記位置決め手段は、前記検知端子が上下方向に変位するのを規制する第１及び第２の検知端子規制部からなり、前記第１の検知端子規制部と前記第２の検知端子規制部との間には、前記検知端子が挿入される検知端子挿入空間が形成されていることを特徴とする。
【０００８】
請求項３の発明は、請求項１または請求項２に記載のコネクタにおいて、前記一方のコネクタハウジングの前記フード部内には、前記検知端子の近傍に検知端子保護壁が設けられており、前記検知端子保護壁は、前記検知端子の上下方向の変位を妨げない位置に形成されており、前記検知端子保護壁の前端部は、前記検知端子よりも前方に突出して形成されていることを特徴とする。
【０００９】
請求項４の発明は、請求項１ないし３のいずれかに記載のコネクタにおいて、前記一方のコネクタハウジングの前記フード部内には、こじり防止用リブが設けられており、前記こじり防止用リブは、前記他方のコネクタハウジングが正規の嵌合姿勢に対して斜め姿勢をとって前記フード部内に挿入され、前記フード部の開口縁と前記他方のコネクタハウジングとが当接した状態で前記他方のコネクタハウジングが回動した場合でも、前記こじり防止用リブが前記他方のコネクタハウジングに突き当たることにより、前記他方のコネクタハウジングが前記フード部の奥方に進入して前記検知端子と干渉することを防止するように配置されていることを特徴する。
【００１０】
請求項５の発明は、請求項１ないし４のいずれかに記載のコネクタにおいて、前記位置決め手段の前端部には、前記検知端子を誘い込むための誘い込み面が形成されていることを特徴とする。
【発明の効果】
【００１１】
＜請求項１の発明＞
請求項１の発明によれば、検知端子は、上下方向への変位が許容されるようになっているので、正規の高さ位置に設定された位置決め手段により上下方向に変位し、予め設定された正規の高さ位置に位置決めされる。検知端子の位置決め手段は他方のコネクタハウジングにのみ配されているので、他方のコネクタハウジングに対してのみ寸法検査を行えばよい。この結果、検査工程を簡略化することができる。
【００１２】
＜請求項２の発明＞
請求項２の発明によれば、検知端子は、第１又は第２の検知端子規制部により上下方向の変位を規制されて検知端子挿入空間内に収容されるので、検知端子の位置決めを確実に行うことができる。
【００１３】
＜請求項３の発明＞
請求項３の発明によれば、一方のコネクタハウジングの前方から異物がフード部内に進入した場合、異物は検知端子と接触する前に、検知端子保護壁と前方から当接し、それ以上フード部の奥方へ進入することが規制される。その結果、異物が検知端子と干渉して検知端子が変形することが防止される。
【００１４】
＜請求項４の発明＞
一方のコネクタハウジングのフード部内に他方のコネクタハウジングを嵌入させる場合に、他方のコネクタハウジングが正規の嵌合姿勢に対して斜め姿勢をとっていると、他方のコネクタハウジングが、フード部の開口縁と前方から当接した状態になる。この状態で、他方のコネクタハウジングが回動した場合でも、フード部内に設けられたこじり防止用リブが他方のコネクタハウジングと突き当たって、他方のコネクタハウジングがフード部の奥方に進入することが防止される。これにより、他方のコネクタハウジングが検知端子と干渉して、検知端子が変形することが防止される。
【００１５】
＜請求項５の発明＞
請求項５の発明によれば、位置決め手段の前端部には、検知端子を誘い込むための誘い込み面が形成されているので、両コネクタハウジングを嵌合させるときに、検知端子が誘い込み面により正規の高さ位置にスムーズに誘導される。
【発明を実施するための最良の形態】
【００１６】
＜実施形態＞
本発明の一実施形態を図１ないし図１０によって説明する。
図１には、本実施形態のコネクタ１０を構成するエアバッグ用コネクタにおける雄雌両コネクタハウジング１１，３０を嵌合させる前の側断面図を示した。図１の右側には雄側コネクタハウジング１１（一方のコネクタハウジングに相当する）が示され、左側には雌側コネクタハウジング３０（他方のコネクタハウジングに相当する）が示されている。なお、以下の説明においては、両コネクタハウジング１１，３０が嵌合する方向をそれぞれ前方向とする。また、上下方向については、図１を基準とする。
【００１７】
まず、図１ないし図４を参照しつつ、雄側コネクタハウジング１１について説明する。雄側コネクタハウジング１１は合成樹脂製であり、前部には、雌側コネクタハウジング３０を収容可能なフード部１２が前側に向かって開口した状態で設けられている。フード部１２の外面には、前後方向の中央付近に、全周に沿って張り出し片１３が張り出し形成されている。フード部１２の内部には、タブ片状に形成された複数本の雄側端子金具１４が、フード部１２の奥壁に装着されている。各雄側端子金具１４の一端側は雄側コネクタハウジング１１の背面から突出して下方へ曲げられており、その先端側は回路基板１５に接続されている。また、各雄側端子金具１４の他端側は、フード部１２内に突き出されている。フード部１２の上壁の内側壁には、その前端縁で、且つ横幅方向の中央付近に、後述するロックアーム４３と係合するロック突起１６が、下方に突設されている。
【００１８】
次に、図１及び図５を参照しつつ、雌側コネクタハウジング３０について説明する。雌側コネクタハウジング３０には雌側端子金具３１が収容され、これら雌側端子金具３１はリテーナ３２で抜け止め状態に二重係止されるようになっている。
雌側端子金具３１は、金属板をプレス加工することにより形成されている。雌側端子金具３１の前端側には、相手の雄側端子金具１４と接触可能な角筒状の接続部３３が設けられている。後端側には、電線Ｗの端末が固定されるバレル部３４が設けられている。バレル部３４には電線Ｗがかしめ付けられている。接続部３３の底面には、後述するランス４１が係止する係止突起３５が突出されている。
【００１９】
雌側コネクタハウジング３０は合成樹脂により形成されている。雌側コネクタハウジング３０は、略直方体状に形成された雌側ハウジング本体３６と、雌側ハウジング本体３６の上壁のうち横幅方向の中央付近から、上方に突出して形成された短絡端子収容部３７とからなる。
【００２０】
雌側ハウジング本体３６には、雌側端子金具３１を収容可能な複数個のキャビティ３８が形成されている。各キャビティ３８は本体の前後方向に開放されている。このうち後ろ側は端子装着口３９として大きく開口される一方、前側は端子挿入口４０として小さく開口されている。端子挿入口４０の表面側の孔縁部には、雄側端子金具１４を誘い込むためのテーパ状の斜面が形成されている。各キャビティ３８の底面には、ランス４１が一体的に形成されている。このランス４１は前方に片持ち状に延出して形成され、雌側端子金具３１の係止突起３５に係止可能に形成されている。雌側ハウジング本体３６の下面における前後方向の中央には、各キャビティ３８に連通するリテーナ装着口４２が開口しており、このリテーナ装着口４２にはリテーナ３２が組み付けられている。
【００２１】
リテーナ３２は、雌側ハウジング本体３６に対して、仮係止位置及び本係止位置に保持されることが可能となっている。リテーナ３２が仮係止位置に保持されている場合には、雌側端子金具３１はキャビティ３８内に端子装着口３９から挿抜可能となっている。一方、リテーナ３２が本係止位置に保持されている場合には、雌側端子金具３１は、リテーナ３２及びランス４１により、各キャビティ３８の内部に二重に抜け止めされる。
【００２２】
なお、キャビティ３８のうち、図５における左右両端最上段の２つは、内部に図示しない短絡片を収容するための短絡片収容室（図示せず）であり、各短絡片は、下方にある隣接した２つのキャビティ３８内の雌側端子金具３１を短絡するようになっている。
【００２３】
短絡端子収容部３７は、前述した両短絡片収容室の間に挟まれるように配され、かつ、雌側ハウジング本体３６の前後方向に沿ってほぼ全長に亘って延びている。短絡端子収容部３７の上端部にはロックアーム４３が設けられている。ロックアーム４３の左右両側には、ロックアーム４３を保護するための、一対のリブ片４４，４４が短絡端子収容部３７から上方に突設されている。
【００２４】
ロックアーム４３は、前端側が短絡端子収容部３７の前壁４９に接続されて、この接続部分が支点部４５とされる一方、後端側が自由端とされた片持ち状に形成されている。ロックアーム４３は上下方向に撓み変形可能とされており、上面側に突設されるロック突部４６がロック突起１６と係合することにより、両コネクタハウジング１１，３０が抜け止め状態とされる。ロック突部４６は、後述する検知端子保護壁１８が干渉しないように、左右２つに分かれて形成されている。また、ロックアーム４３の後端上面は押圧操作部４７とされている。両コネクタハウジング１１，３０の嵌合状態を解除する際には、押圧操作部４７を押圧操作することでロックアーム４３を撓み変形させ、ロック突部４６とロック突起１６とのロックと解除することができる。
【００２５】
前壁４９には、雄雌両コネクタハウジング１１，３０において後述する雌側コネクタハウジング３０の検知端子保護壁１８を挿通させるための窓５０が開口している。この窓５０はロックアーム４３の支点部４５と対応し、さらにロックアーム４３の長さ方向中央部に至るまで切欠かれた収容溝４８に連続している。
【００２６】
短絡端子収容部３７には、ロックアーム４３の下方に短絡端子５１が装着される。この短絡端子５１は、雄雌両コネクタハウジング１１，３０の正規嵌合の有無を検知するためのものであり、金属板材を折り曲げて形成されており、両コネクタハウジング１１，３０が正規に嵌合したときに、後述する一対の検知端子１７，１７と接触可能とされている。このため、短絡端子５１は、詳しくは図示しないが、左右一対の弾性接触片５２を有しており、上下方向に撓み可能であり、途中には、検知端子１７に接触可能な接触突部５４（接点部に相当する）が突設されている。短絡端子５１の先端縁は、板材が折り曲げられて二枚分の厚さを備えた押し込み部５５とされており、ここが短絡端子装着室５０に設けられた受け部５６に押し込まれることにより、短絡端子５１が固定される。さらに、弾性接触片の後部は、その側断面が略三角形状とされており、その最上端部分は押圧部５３とされている。
【００２７】
この押圧部５３は、雌側コネクタハウジング３０単体時では、その上端がロックアーム４３の直下において、僅かなクリアランスを保有して臨んでいる。そして、雄雌両コネクタハウジング１１，３０の嵌合途中では、ロックアーム４３に設けられたロック突部４６と、雄側コネクタハウジング１１のロック突起１６とが当たり合い、ロックアーム４３が下方に撓み変形する（図７参照）。このとき、ロックアーム４３の下方に配置された短絡端子１７は、押圧部５３が下方に押圧されることにより、弾性接触片５２が撓み変形する。このとき、接触突部５４は検知端子１７よりも下方に位置するため、検知端子１７との接触が回避された状態となる。このため、短絡回路（図示せず）が形成されておらず、両コネクタハウジング１１，３０が正規の嵌合状態にあるとは認識されない。
【００２８】
さらに両コネクタハウジング１１，３０の嵌合が進むと、ロック突部４６がロック突起１６を乗り越えて両者の当接が解除され、ロックアーム４３が復帰変形する。すると、押圧部５３への押圧力がなくなるため、弾性接触片５２が復帰変形し、接触突部５４と検知端子１７とが接触できるようになる（図８参照）。こうして、検知端子１７と短絡端子５１との接触により、検知端子１７と接続された検知回路（図示せず）の導通が確保されて、両コネクタハウジング１１，３０が正規嵌合状態に至ったものと判断される。
【００２９】
雌側ハウジング本体３６の上壁の左右両側端縁には、１対の案内リブ５７、５７が形成されている。図５において左方に位置する案内リブ５７の横幅は、右方に位置する案内リブ５７よりも広く形成されている。案内リブ５７は、後述する、雄側コネクタハウジング１１の案内溝２０に沿うように進入することで、両コネクタハウジング１１，３０の押し込み方向を案内するようになっている。
【００３０】
さて、雄側コネクタハウジング１１のフード部１２内には、各雄側端子金具１４よりも上方で、フード部１２の幅方向の中央付近に、タブ片状に形成された左右一対の検知端子１７，１７が、フード部１２の奥壁に装着されている。各検知端子１７，１７の一端側は、雄側端子金具１４と同様に、雄側コネクタハウジング１１の背面から突出して下方へ曲げられており、その先端側は回路基板１５に接続されている。検知端子１７は図示しない検知回路に接続されており、検知端子１７が短絡することにより検知回路は両コネクタハウジング１１，３０が正規に嵌合したことを検知可能となっている。また、各検知端子１７，１７の他端側は、フード部１２内に突き出されている。各検知端子１７，１７のフード部１２内への突出長さは、各雄側端子金具１４の突出長さよりも長くなっており、上下方向への適度な撓みが許容されている。
【００３１】
左右の検知端子同士１７，１７の間には、検知端子保護部１８が形成されている。検知端子保護壁１８は、フード部１２の上壁の内側壁から垂下して形成されており、その下端は、検知端子１７よりもやや下方の高さ位置に形成されている。検知端子保護壁１８の横幅は、下端部分（検知端子と略同じ高さ位置）がやや幅広に形成されており、窓５０を介してロックアーム４３の収容溝４８に入り込むことができるような寸法に形成されている。
【００３２】
検知端子保護壁１８の上部は、ロック突起１６と連続している。ロック突起１６よりも下方で、検知端子１７よりも上方の領域では、検知端子保護壁１８の前端は、フード部１２の前端縁からやや後方に引っ込んだ状態になっている。検知端子１７と略同じ高さ位置においては、検知端子保護壁１８の前端は、検知端子１７の前端よりも前方に突出した状態に形成されている。
【００３３】
フード部１２の上壁の内壁面には、左右１対のこじり防止用リブ１９が、図２において、フード部１２の左右両隅から下方に突出して設けられている。こじり防止用リブ１９の前端は、フード部１２の前端と面一に形成されて、前後方向に沿って延び、フード部１２の奥壁に至っている。
【００３４】
図２において左方のこじり防止用リブ１９の下端は、左端から略３分の２の部分が、右端から略３分の１の部分よりも上方に窪んだ状態になっている。これにより案内溝２０が形成されている。そして、右端から略３分の１の部分は、検知端子保護壁１８の下端と同じ高さに形成されている。
【００３５】
図２において右方のこじり防止用リブ１９の下端は、右端から略３分の１の部分が、左端から略３分の２の部分よりも上方に窪んだ状態になっている。これにより案内溝２０が形成されている。そして、左端から略３分の２の部分は、検知端子保護壁１８の下端と同じ高さに形成されている。
【００３６】
上述した各案内溝２０は、雌側ハウジング本体の各案内リブ５７が入り込むことができる寸法に形成されている。
【００３７】
雌側コネクタハウジング３０には、検知端子１７を収容可能な検知端子挿入空間６２が形成されている。この検知端子挿入空間６２は、前方に開放しており、雌側コネクタハウジング３０の前壁４９のうち、窓５０の下端の左右両側に、検知端子挿入口６３として開口している。検知端子挿入口６３と窓５０とは左右方向に連通している。
【００３８】
検知端子挿入空間６２の前部は、奥方から前方に向かうにしたがって上下方向に拡がるように形成されており、検知端子１７を誘い込むための誘い込み部６６となっている。
【００３９】
一方、検知端子挿入空間６２の後部は、その高さが検知端子１７の肉厚と等しくなっており、両コネクタハウジング１１，３０が嵌合して検知端子１７が挿入されたときに検知端子１７と短絡端子５１とが予め設定された高さ位置で接触するような高さ位置に設定された、高さ規定部６７となっている。
【００４０】
上記の検知端子挿入空間６２の下壁は、検知端子１７の下方への変位を規制する第１の検知端子規制部５９（位置決め手段に相当する）となっている。他方、検知端子挿入空間６２の上壁は、検知端子１７の上方への変位を規制する第２の検知端子規制部６１（位置決め手段に相当する）となっている。第１及び第２の検知端子規制部５９，６１の前部には、誘い込み面６４が形成されており、この誘い込み面６４により誘い込み部６６が形成されている。また、第１及び第２の検知端子規制部５９，６１の後部には、高さ規定面６５が形成されており、この高さ規定面６５により高さ規定部６７が形成されている。
【００４１】
第２の検知端子規制部６１は、第１の検知端子規制部５９よりも奥方に延びて形成されている。これにより、両コネクタハウジング１１，３０が嵌合したときに、第２の検知端子規制部６１の高さ規定面６５が、検知端子１７と上方から当接すると共に、短絡端子５１の接触突部５４が、検知端子１７と下方から当接することができるようになっている。
【００４２】
次に、図６ないし図１０を参照しつつ、本実施形態の作用及び効果について説明する。まず図６ないし図８を参照しつつ、両コネクタハウジング１１，３０が嵌合するときの様子について説明する。
【００４３】
雄雌両コネクタハウジング１１，３０を互いに前面側を向けて対向させておき（図１を合わせて参照）、雌側コネクタハウジング３０を雄側コネクタハウジング１１のフード部１２内側に挿入するようにして、嵌合操作を開始する。
【００４４】
雄雌両コネクタハウジング１１，３０の嵌合途中では、ロック突部４６とロック突起１６とが当たり合い、ロックアーム４３が下方に撓み変形する（図７参照）。ロックアーム４３の下方に配置された押圧部５３は押圧されて、弾性接触片５２が下方へ撓み変形する。すると、接触突部５４が検知端子１７よりも下方に位置する結果、検知端子１７と短絡端子５１との接触が回避された状態となる。
【００４５】
さらに両コネクタハウジング１１，３０の嵌合が進むと、ロック突部４６がロック突起１６を乗り越えて両者の当接が解除され、ロックアーム４３が復帰変形する。すると、押圧部５３への押圧力がなくなるため、弾性接触片５２が復帰変形し、接触突部５４と検知端子１７とが接触できるようになる（図８参照）。こうして、検知端子１７と短絡端子５１との接触により、検知端子１７と接続された検知回路（図示せず）の導通が確保されて、両コネクタハウジング１１，３０が正規嵌合状態に至ったものと判断される。
【００４６】
さて、第１及び第２の検知端子規制部５９，６１の前端部には、検知端子１７を誘い込むための誘い込み面６４が形成されているので、検知端子１７が検知端子挿入口６３に挿入される際、検知端子１７が上下方向へ芯ずれするような状態になっていた場合でも（図６参照）、検知端子１７は、検知端子挿入口６３に形成された誘い込み面６４によって上下方向に矯正されながら、図６の矢線方向から検知端子挿入空間６２に誘導される。
【００４７】
両コネクタハウジング１１，３０が更に嵌合すると、検知端子１７は、第１及び第２の検知端子規制部５９，６１の高さ規定面６５により、上下方向から挟持された状態になる（図７、８参照）。これにより、検知端子１７は正規高さ位置に保持される。このように、検知端子１７は、第１及び第２の検知端子規制部５９，６１によって正規の高さ位置に位置決め可能となっている。第１及び第２の検知端子規制部５９，６１は雌側コネクタハウジング３０に形成されているので、雌側コネクタハウジング３０についてのみ寸法検査を行うことにより、検査を済ますことができるため、作業が簡易である。
【００４８】
次に、図９及び図１０を参照しつつ、検知端子保護壁１８及びこじり防止リブ１９の作用について説明する。
【００４９】
本実施形態では、検知端子１７，１７同士の間に検知端子保護壁１８が形成されており、検知端子保護壁１８の前端部は検知端子１７よりも前方に位置している。これにより、前方から大きな異物がフード部１２内に進入した場合、異物は検知端子保護壁１８に突き当たるため、異物が検知端子１７と干渉して検知端子１７が変形することが防止される。
【００５０】
また、図９に示すように、雌側コネクタハウジング３０が雄側コネクタハウジング１１に対して、上下方向の回転軸を中心にして例えば略４５度ずれた状態で嵌合された場合、雌側コネクタハウジング３０の外壁部は、フード部１２の開口縁と前方から当接する。そして、両者が当接した状態で、雌側コネクタハウジング３０が回動した場合でも、雌側コネクタハウジング３０は前方から第１のこじり防止用リブ１９に当接することにより、それ以上奥方へ進入することが防止される。本実施形態においては、雌側コネクタハウジング３０は検知端子保護壁１８にも当接しているため、フード部１２の奥方に進入することが防止されている。これにより、雌側コネクタハウジング３０が検知端子１７と干渉して、検知端子１７が変形することが防止される。
【００５１】
図１０に示すように、雌側コネクタハウジング３０が雄側コネクタハウジング１１に対して、横幅方向の回転軸を中心として例えば略４５度ずれた状態で嵌合された場合、雌側コネクタハウジング３０はフード部１２の開口縁と前方から当接する。そして、両者が当接した状態で、雌側コネクタハウジング３０が回動した場合でも、雌側コネクタハウジング３０は前方からこじり防止用リブ１９に当接することにより、それ以上奥方へ進入することが防止される。これにより、雌側コネクタハウジング３０が検知端子１７と干渉して、検知端子１７が変形することが防止される。
【００５２】
コネクタ同士のこじり防止を図るためには、こじり防止リブ１９を設ける位置、及び下方への突出長さについて、適切に設計すればよい。
【００５３】
本実施形態の効果をまとめると、次のようである。
（１）検知端子１７の位置決め手段（第１及び第２の検知端子規制部５９，６１）が雌側コネクタハウジング３０にのみ配されているから、雌側コネクタハウジング３０に対してのみ寸法検査を行えばよいので、検査工程を簡略化することができる。
【００５４】
（２）第１及び第２の検知端子規制部５９，６１の前端部には、検知端子を誘い込むための誘い込み面６４が形成されているので、両コネクタハウジング１１，３０を嵌合させるときに、検知端子１７が正規の高さ位置にスムーズに誘導される。
【００５５】
（３）フード部１２内に検知端子保護壁１８が形成されているので、異物が検知端子１７と干渉して検知端子１７が変形することが防止される。
【００５６】
（４）フード部１２内にこじり防止用リブ１９が設けられているので、雌側コネクタハウジング３０が斜め姿勢でフード部１２内に進入しても、検知端子１７が変形することが防止される。
【００５７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５８】
（１）本実施形態においては、位置決め手段として、検知端子１７が上下方向に変位するのを規制する第１及び第２の検知端子規制部５９，６１が設けられるものとしたが、これに限られず、位置決め手段としては、検知端子１７の上方向の変位のみを規制するものを設ける構成としてもよいし、また、下方向の変位のみを規制するものを設ける構成としてもよい。
【００５９】
（２）本実施形態においては、フード部１２内に検知端子保護壁１８を設ける構成としたが、これに限られず、両コネクタハウジング１１，３０が嵌合される前には、フード部１２の前面に、例えば検知端子保護用のキャップを被せる構成とすれば、検知端子保護壁１８が設けられていなくてもよい（図１１ないし図１３参照）。
【００６０】
（３）本実施形態においては、フード部１２内にこじり防止用リブ１９を設ける構成としたが、これに限られず、作業者が、コネクタを直接目視できる状態で嵌合作業を行う場合には、フード部１２内にこじり防止用リブ１９を設けなくてもよい（図１１ないし図１３参照）。
【００６１】
（４）本実施形態においては、第１及び第２の検知端子規制部５９，６１の前端部に誘い込み面６４が形成されるものとしたが、これに限られず、第１及び第２の検知端子規制部５９，６１に誘い込み面６４が形成されない構成としてもよい。
【００６２】
（５）本実施形態においては、１対の検知端子１７，１７同士の間に検知端子保護壁１８を設ける構成としたが、これに限られず、検知端子１７の近傍であり、検知端子１７の上下方向の変位を妨げないのであれば検知端子１７の上方又は下方に検知端子保護壁を設けてもよい。また、検知端子１７の横幅方向における外側に設けてもよい。さらに、検知端子１７の周囲を囲むように設けてもよい。
【００６３】
（６）本実施形態においては、検知端子保護壁１８はフード部１２の上壁の内側壁から垂下して形成される構成としたが、これに限られず、フード部１２の後ろ側の内側壁から前方に突設される構成としてもよい。
【００６４】
（７）本実施形態においては、フード部１２内に左右１対のこじり防止用リブ１９を設ける構成としたが、これに限られず、１個又は３個以上のこじり防止用リブ１９を設ける構成としてもよい。
【００６５】
（８）本実施形態においては、こじり防止用リブ１９はフード部１２の前面と面一に形成されるものとしたが、これに限られず、雌側コネクタハウジング３０が検知端子１７と干渉しない位置で、雌側コネクタハウジング３０とこじり防止用リブ１９とが当接する構成であれば、フード部１２内に引っ込んだ形状であってもよい。
【図面の簡単な説明】
【００６６】
【図１】本発明の一実施形態に係る雄雌両コネクタハウジングの嵌合前の側断面図
【図２】雄側コネクタハウジングの正面図
【図３】雄側コネクタハウジングの側断面図
【図４】図２におけるＡ−Ａ線断面図
【図５】雌側コネクタハウジングの正面図
【図６】検知端子が雌側コネクタハウジングの検知端子挿入口に挿入される状態にあるときの拡大側断面図
【図７】両コネクタハウジングが嵌合する途中の状態にあるときの側断面図
【図８】両コネクタハウジングが正規嵌合状態にあるときの側断面図
【図９】雌側コネクタハウジングが斜め姿勢をとってフード部内に進入した状態を示す一部切欠平面図
【図１０】雌側コネクタハウジングが斜め姿勢をとってフード部内に進入した状態を示す側断面図
【図１１】他の実施形態（２）、（３）に係る雄雌両コネクタハウジングの嵌合前の側断面図
【図１２】他の実施形態（２）、（３）に係る雌側コネクタハウジングの正面図
【図１３】他の実施形態（２）、（３）に係る雄側コネクタハウジングの正面図
【図１４】従来例の側断面図
【符号の説明】
【００６７】
１０…コネクタ
１１…雄側コネクタハウジング
１２…フード部
１７…検知端子
１８…検知端子保護壁
１９…こじり防止用リブ
３０…雌側コネクタハウジング
４３…ロックアーム
５１…短絡端子
５４…接触突部
５９…第１の検知端子規制部
６１…第２の検知端子規制部
６２…検知端子挿入空間
６３…検知端子挿入口
６４…誘い込み面
【図１】
2005166490.tif 000003
【図２】
2005166490.tif 000004
【図３】
2005166490.tif 000005
【図４】
2005166490.tif 000006
【図５】
2005166490.tif 000007
【図６】
2005166490.tif 000008
【図７】
2005166490.tif 000009
【図８】
2005166490.tif 000010
【図９】
2005166490.tif 000011
【図１０】
2005166490.tif 000012
【図１１】
2005166490.tif 000013
【図１２】
2005166490.tif 000014
【図１３】
2005166490.tif 000015
【図１４】
2005166490.tif 000016